(57)【要約】【課題】本発明は、光ディスクが低反射率のときに各記録層の反射光の受光信号より求めたＲＦ信号を増幅するゲインを最適にして、記録及び再生品質がよい光ディスク装置及びその記録再生方法を提供することを目的とする。【解決手段】本発明は、光ディスク１１にレーザ光を集光する対物レンズ３１と、光ディスク１１からの反射光を受光して電気信号に変換する受光センサ２０８と、電気信号を増幅する増幅器と、増幅された電気信号に基づいてＳ字波形を検出し、Ｓ字波形の数に基づいて光ディスク１１の層数を判別し、各層の任意のアドレス情報を読み、ある層のアドレス情報を読めなかった場合、ある層からアドレス情報を読めるまで増幅器のゲインを上げ、アドレス情報を読取ったときのゲインの値を各層毎に記憶させる制御手段と、を具備した。【選択図】図３
2008204536.tif 000002
【特許請求の範囲】
【請求項１】
光ディスクにレーザ光を集光する対物レンズと、
前記光ディスクからの反射光を受光して電気信号に変換する受光センサと、
前記電気信号を増幅する増幅器と、
前記増幅された電気信号に基づいてＳ字波形を検出し、前記検出したＳ字波形の数に基づいて前記光ディスクの層数を判別し、各層の任意のアドレス情報を読み、一の層のアドレス情報を読めなかった場合、前記一の層からアドレス情報を読めるまで増幅器のゲインを上げ、前記アドレス情報を読取ったときのゲインの値を各層毎に記憶させる制御手段と、を具備した光ディスク装置。
【請求項２】
前記制御手段は、前記判別した層数と前記光ディスク内に予め記憶されている光ディスクの層数の情報とが一致しない場合、各層の任意のアドレス情報を読み、一の層のアドレス情報を読めなかった場合、前記一の層からアドレス情報を読めるまで増幅器のゲインを上げ、前記アドレス情報を読取ったときのゲインの値を各層毎に記憶させることを特徴とする請求項１記載の光ディスク装置。
【請求項３】
光ディスクの層数に応じて各層毎に増幅器のゲインを記憶する記憶手段を設け、
前記制御手段は、前記判別した層数と前記光ディスク内に予め記憶されている光ディスクの層数の情報とが一致した場合、前記記憶手段に記憶されたゲインを前記増幅器に設定することを特徴とする請求項１記載の光ディスク装置。
【請求項４】
前記Ｓ字波形は、前記光ディスクからの反射光を受光して変換した電気信号から求めたフォーカス誤差信号であることを特徴とする請求項１記載の光ディスク装置。
【請求項５】
光ディスクに対し情報の記録または情報を再生するとき、
前記光ディスクにレーザ光を集光し前記光ディスクからの反射光を受光して電気信号に変換し、
前記電気信号を増幅して、前記増幅された電気信号に基づいてＳ字波形を検出し、
前記Ｓ字波形の数に基づいて前記光ディスクの層数を判別し、
各層の任意のアドレス情報を読み、
ある層のアドレス情報を読めなかった場合、前記ある層からアドレス情報を読めるまで増幅器のゲインを上げ、前記アドレス情報を読取ったときのゲインの値を各層毎に記憶させることを特徴とする光ディスク装置の記録再生方法。
【発明の詳細な説明】
【技術分野】
【０００１】
本発明は光ディスクの記録面にレーザ光のフォーカスを合わせて情報記録を行う光ディスク装置に関し、特に複数の記録面を有する低反射の光ディスクに対し情報の記録または再生をする光ディスク装置及びその記録再生方法に関するものである。
【背景技術】
【０００２】
パーソナルコンピュータの外部記録装置としては回転する記録媒体に光学的に記録可能な光ディスクに情報を記録する光ディスク装置が一般的に利用されている。この光ディスクの種類は数多くの方式が利用されており、ＣＤ、ＤＶＤやブルーレイディスクなどがあり、再生専用の光ディスク（ＣＤ−ＲＯＭ）や一回記録可能な追記型光ディスク（ＣＤ−Ｒ，ＤＶＤ−Ｒ、ＤＶＤ＋Ｒ）、複数回の記録が可能な書換型光ディスク（ＣＤ−ＲＷ、ＤＶＤ−ＲＷ、ＤＶＤ＋ＲＷ、ＤＶＤ−ＲＡＭ）などがある。また、これらの光ディスクでは記録容量を増加するのに記録層をの２つ備えた２層光ディスクが提案されてきており、一部実用化されている。これらの各種の記録媒体に対して正確に記録再生動作を行うために、光ディスク装置は各媒体に適した状態で動作させる必要がある。そこで、光ディスク装置では、上記記録媒体のうち、いずれの種類の媒体が装置内に挿入されているかを判別し、その判別内容に従い、挿入されている媒体が記録再生可能な状態に装置を設定する機能を有している。これらの光ディスク判別の方法に関して例えば（例えば、特許文献１）がある。
【特許文献１】特開２００３−３０８３０号公報
【発明の開示】
【発明が解決しようとする課題】
【０００３】
従来の技術は、光ディスク装置内に挿入された光ディスクに対し、焦点合わせを光ディスクのアドレス情報がある領域で行い、情報記録面のアドレス情報を読み取り、前記読み取り情報から前記光ディスクの記録面の層に関する情報を取得し、前記記録面の層が２以上の場合に、１層目に移動して当該光ディスクに関する情報を取得する。
【０００４】
しかしながら、複数回の記録が可能な相変化型の光ディスクでは相変化膜での光の吸収に伴い反射率が低くなり、反射光に基づく光ディスクの判別ができにくくなり特に上位の記録層のアドレス情報が読めない課題があった。
【０００５】
また、新規に開発される光ディスクの発売以前の光ディスク装置に関しては、その光ディスクに関する情報を備えていないので光ディスクの記録再生のときに要する各種設定ができず記録再生ができない課題があった。
【０００６】
本発明は、光ディスクが低反射率のときに各記録層の反射光の受光信号より求めたＲＦ信号を増幅するゲインを最適にして、光ディスク記録または再生品質がよい光ディスク装置及びその記録再生方法を提供することを目的とする。
【課題を解決するための手段】
【０００７】
かかる問題を解決するため、本発明は、光ディスクにレーザ光を集光する対物レンズと、光ディスクからの反射光を受光して電気信号に変換する受光センサと、電気信号を増幅する増幅器と、増幅された電気信号に基づいてＳ字波形を検出し、検出したＳ字波形の数に基づいて光ディスクの層数を判別し、各層の任意のアドレス情報を読み、一の層のアドレス情報を読めなかった場合、一の層からアドレス情報を読めるまで増幅器のゲインを上げ、アドレス情報を読取ったときのゲインの値を各層毎に記憶させる制御手段と、を具備したものである。
【発明の効果】
【０００８】
本発明は、フォーカスエラー信号より検出したＳ字波形の数に基づいて光ディスクの層数を判別し、各層の任意のアドレス情報を読み、一の層のアドレス情報を読めなかった場合、一の層からアドレス情報を読めるまで増幅器のゲインを上げることにより、相変化型の光ディスクのように低反射率の光ディスクにおいて受光センサの信号ゲインを最適化できるので、光ディスクの各記録層ごとに記録再生を最適にして記録及び再生品質をよくすることができる。
【０００９】
また、アドレス情報を読取ったときのゲインの値を各層毎に記憶させることにより、記録または再生のときに記憶したゲインを利用できるので、再度最適ゲインを求めなくてもよくなり、記録または再生の設定に要する時間を短縮でき、全体として時間を短縮できるようになる。
【発明を実施するための最良の形態】
【００１０】
請求項１記載の発明は、光ディスクにレーザ光を集光する対物レンズと、光ディスクからの反射光を受光して電気信号に変換する受光センサと、電気信号を増幅する増幅器と、増幅された電気信号に基づいてＳ字波形を検出し、検出したＳ字波形の数に基づいて光ディスクの層数を判別し、各層の任意のアドレス情報を読み、一の層のアドレス情報を読めなかった場合、一の層からアドレス情報を読めるまで増幅器のゲインを上げ、アドレス情報を読取ったときのゲインの値を各層毎に記憶させる制御手段と、を具備したものである。
【００１１】
この構成によれば、フォーカスエラー信号より検出したＳ字波形の数に基づいて光ディスクの層数を判別し、各層の任意のアドレス情報を読み、ある層のアドレス情報を読めなかった場合、ある層からアドレス情報を読めるまで増幅器のゲインを上げることにより、相変化型の光ディスクのように低反射率の光ディスクにおいて受光センサの信号ゲインを最適化できるので、光ディスクの各記録層ごとに記録再生を最適にして記録及び再生品質をよくすることができる。
【００１２】
また、アドレス情報を読取ったときのゲインの値を各層毎に記憶させることにより、記録または再生のときに記憶したゲインを利用できるので、再度最適ゲインを求めなくてもよくなり、記録または再生の設定に要する時間を短縮でき、全体として時間を短縮できるようになる。
【００１３】
請求項２記載の発明は、請求項１記載の発明において、制御手段は、判別した層数と光ディスク内に予め記憶されている光ディスクの層数の情報とが一致しない場合、各層の任意のアドレス情報を読み、一の層のアドレス情報を読めなかった場合、一の層からアドレス情報を読めるまで増幅器のゲインを上げ、アドレス情報を読取ったときのゲインの値を各層毎に記憶させるようにしたものである。
【００１４】
この構成によれば、判別した層数と光ディスク内に予め記憶されている光ディスクの層数の情報とが一致しない場合、各層の任意のアドレス情報を読み、ある層のアドレス情報を読めなかった場合、ある層からアドレス情報を読めるまで増幅器のゲインを上げ、アドレス情報を読取ったときのゲインの値を各層毎に記憶させることにより、Ｓ字波形により判別した光ディスクの層数と判別した情報をもとに光ディスクの所定の位置に記録されている光ディスクの固有情報とが異なっても、光ディスクの種類ごとにまた層数ごとにアドレス情報を読む条件を求めることができる。その結果、低反射率の光ディスクの記録や再生での受光センサの増幅器のゲイン設定を最適にすることができるようになる。
【００１５】
また、新規に開発される光ディスクの発売以前の光ディスク装置に関して、その光ディスクに関する情報を備えていない光ディスクにおいても、記録再生のときに要する各種設定が可能となるので、光ディスクメーカが増えたり、記録層が増加した光ディスクが発売されても最適に増幅器のゲインを設定し、記録または再生ができるようになる。
【００１６】
また、アドレス情報を読めるように設定した増幅器のゲインを、記憶手段に記憶させるので、記録または再生のときに記憶したゲインを利用できるので、再度最適ゲインを求めなくてもよくなり、記録または再生の設定に要する時間を短縮でき、全体として時間を短縮できるようになる。
【００１７】
請求項３記載の発明は、請求項１乃至請求項２記載の発明において、光ディスクの層数に応じて各層毎に増幅器のゲインを記憶する記憶手段を設け、制御手段は、判別した層数と光ディスク内に予め記憶されている光ディスクの層数の情報とが一致した場合、記憶手段に記憶されたゲインを増幅器に設定するものである。
【００１８】
この構成によれば、制御手段は、判別した層数と前記光ディスク内に予め記憶されている光ディスクの層数の情報とが一致した場合、各層毎に装置内に記憶した増幅器のゲインとすることにより、光ディスクに予め記憶された固有情報をもとに、記憶したゲインを利用できるので、最適ゲインを求めなくてもよくなり、記録または再生の設定に要する時間を短縮でき、全体として時間を短縮できるようになる。
【００１９】
請求項４記載の発明は、請求項１記載の発明において、Ｓ字波形は、光ディスクからの反射光を受光して変換した電気信号から求めたフォーカス誤差信号としたものである。
【００２０】
この構成によれば、Ｓ字波形は、光ディスクからの反射光を受光して変換した電気信号から求めたフォーカス誤差信号とすることにより、記録層の層数をフォーカスが合う記録層数によって求めるので、対物レンズを一度光ディスクの離れた位置から光ディスク面に近づけるだけで容易に記録層の数を求めることができる。その結果、記録層の数を求めるのに要する時間を短縮でき、全体として時間を短縮できるようになる。
【００２１】
請求項５記載の発明は、光ディスクに対し情報の記録または情報を再生するとき、光ディスクにレーザ光を集光し光ディスクからの反射光を受光して電気信号に変換し、電気信号を増幅して、増幅された電気信号に基づいてＳ字波形を検出し、Ｓ字波形の数に基づいて光ディスクの層数を判別し、各層の任意のアドレス情報を読み、ある層のアドレス情報を読めなかった場合、ある層からアドレス情報を読めるまで増幅器のゲインを上げ、アドレス情報を読取ったときのゲインの値を各層毎に記憶させることを特徴とする光ディスク装置の記録再生方法である。
【００２２】
この方法によれば、Ｓ字波形の数に基づいて光ディスクの層数を判別し、各層の任意のアドレス情報を読み、ある層のアドレス情報を読めなかった場合、ある層からアドレス情報を読めるまで増幅器のゲインを上げることにより、相変化型の光ディスクのように低反射率の光ディスクにおいて受光センサの信号ゲインを最適化できるので、光ディスクの各記録層ごとに記録再生のときの条件を設定できる。
【００２３】
また、アドレス情報を読取ったときのゲインの値を各層毎に記憶させることにより、記録または再生のときに記憶したゲインを利用できるので、再度最適ゲインを求めなくてもよくなり、記録または再生の設定に要する時間を短縮でき、全体として時間を短縮できるようになる。
【００２４】
以下、本発明を実施するための最良の形態について図面を参照しながら説明する。
【００２５】
（実施の形態１）
図１は本発明の実施の形態１に係わる光ディスク装置の斜視図、図２は本発明の実施の形態１に係わる光ディスク装置の外観図で、筐体の天部を除去した図である。
【００２６】
図１および図２において光ディスク装置１には筐体２及びトレイ３があり図１、図２は筐体２からトレイ３を引き出した状態を示している。
【００２７】
筐体２は天部２ａと底部２ｂから構成されている。トレイ３には光ピックアップモジュール４が設けられている。光ピックアップモジュール４には光学系を構成した光ピックアップ５と光ディスクを回転させるスピンドルモータ４ａ及び制御回路を構成する回路基板４ｃが構成されている。
【００２８】
光ピックアップモジュール４に設けられた光ピックアップ５はスピンドルモータ４ａに対して近づいたり離れたりし、即ち光ディスクの半径方向に移動する。スピンドルモータ４ａには光ディスク装着部４ｂがあり、光ディスク装着部４ｂは装着された光ディスクを回転させる。
【００２９】
トレイ３の両側部にはレール部６があり、両側部共にレール７と光ディスク引き出し方向に摺動自在に嵌合している。また、レール７は筐体２両側部内面に設けられたレールガイド８とも光ディスク引き出し方向に摺動自在に嵌合しており、トレイ３は筐体２に対し挿抜自在である。トレイ３は筐体２から所定の長さだけ引き出されると筐体２に対して係止する。このときトレイ３に設けられた光ディスク装着部４ｂに光ディスクを装着もしくは取り外すことが可能である。トレイ３には押出部１２が設けられており、排出（イジェクト）動作時に押出部１２が筐体２を押すことにより、トレイ３は筐体２から飛び出す。
【００３０】
光ディスク装置１は、光ディスクがＣＤ−ＲＯＭ、ＣＤ−Ｒ／ＲＷの高速タイプもしくはＤＶＤ等に対応しており、データ転送速度が速いもので、２０Ｍｂｐｓ以上のデータ転送速度を有するものである。
【００３１】
筐体２の底部２ｂには制御回路を備える回路基板９が設けられており、トレイ３には制御回路を備える回路基板４ｃが設けられている。回路基板９と回路基板４ｃとは、フレキシブルプリント基板（ＦＰＣとも呼ぶ）１０で接続されており、このＦＰＣ１０によって回路基板９と回路基板４ｃとの電気的導通が図られる。
【００３２】
電力系としては、スピンドルモータ４ａや、光ピックアップモジュール４に設けられ光ピックアップ５を光ディスクの径方向に駆動するフィードモータ（図示せず）への電力供給及び光ピックアップ５に設けられたレーザ（図示せず）への電力供給が有り、信号としては、光ディスクから読み取りまたは光ディスクに書き込むデータの信号や、スピンドルモータ４ａ、フィードモータ、レーザを制御する信号がある。
【００３３】
図３は、本発明の実施の形態１に係わる光ディスク装置のブロック図である。
【００３４】
図３において、１１１はパーソナルコンピュータ、１は光ディスク装置、１５はインターフェースケーブル、２０はインターフェース、１１は光ディスク、４は光ピックアップモジュール、５は光ピックアップ、４ａはスピンドルモータ、２０５はフォーカス駆動手段、３１は対物レンズ、２０７はレーザ発光手段であるレーザ、２０８は反射光受光手段である受光センサ、２０９はキャリッジ、２１２はデジタルサーボコントローラ、２１３はデータ処理部、２１４はフォーカス制御手段、２１５はトラッキング制御手段、２１７はアドレス読取手段、２１８は回転制御手段、２１９はスピンドルモータ駆動手段、２２０は記憶手段、２２１はＦＥ信号生成手段、２２２はフォーカス誤差検出手段、２２３はゲイン設定手段、２２７はＲＦ信号生成手段である。
【００３５】
パーソナルコンピュータ１１１と光ディスク装置１はインターフェースケーブル１５で接続され、インターフェース２０を介して光ディスク１１に記録されたデータをパーソナルコンピュータ１１１に出力したり、パーソナルコンピュータ１１１のデータを光ディスク１１に出力する。
【００３６】
パーソナルコンピュータ１１１とインターフェース２０で接続された光ディスク装置１は、パーソナルコンピュータ１１１からの制御信号たとえばＡＴＡＰＩパケットコマンドを基に応答し、光ディスク１１の情報を読み込んだり、光ディスク１１に情報を記録したりする。インターフェース２０は、ＳＣＳＩインターフェースやＩＤＥインターフェース等である。
【００３７】
スピンドルモータ４ａは、光ディスク１１の回転を行う。
【００３８】
光ピックアップ手段である光ピックアップモジュール４はレーザ２０７を有し、光ディスク１１へのデータの記録および光ディスク１１の情報の再生時にレーザ光を発光して光ディスク１１に照射し記録および再生を行う。
【００３９】
光ピクアップモジュール４はキャリッジ２０９が備えられ、光ピックアップモジュール４の移動手段であるフィードモータ（図示せず）によって光ピックアップモジュール４をスピンドルモータ４ａに近づいたり離れたりするように、即ち光ディスク１１の半径方向に移動させる。
【００４０】
レーザ２０７で出力されたレーザ光は、光ディスク１１の所定のフォーカス位置にフォーカスが合うようにフォーカス制御手段２１４で制御されフォーカス駆動手段２０５でフォーカスを合わせられる。
【００４１】
光ディスク１１からのレーザ光の反射光は、反射光受光手段である受光センサ２０８で受光して電気信号に変換され、変換された反射光の電気信号は、フォーカスエラー（ＦＥ）信号生成手段２２１でＦＥ信号が生成されるとともに、情報信号であるＲＦ信号生成手段２２７によって受光した電気信号の増幅などの信号処理がなされる。
【００４２】
光ディスク１１の情報がデジタルサーボコントローラ２１２に送られ、トラッキング誤差信号やフォーカス誤差信号を基にトラッキング制御手段２１５によってトラッキング制御、フォーカス制御手段によってフォーカス制御がなされる。
【００４３】
アドレス読取手段２１７は、情報信号であるＲＦ信号をもとに光ディスク１１の記録層に予め設定されているアドレス情報を読取る。
【００４４】
データ処理部２１３は、フォーカス誤差信号に基づいて、フォーカス誤差信号の振幅やＳ字波形の発生する数量を基に光ディスク１１の記録層の数を求める。
【００４５】
図４は、本発明の実施の形態１に係わるフォーカス誤差信号を示した図である。
【００４６】
図４においては、フォーカス駆動手段２０５によって対物レンズ３１を光ディスク１１から離れた位置から光ディスク面に近づけたときのフォーカス誤差信号を示している。
【００４７】
図４（ｃ）は、対物レンズを近づけるときの時間とフォーカス（ＦＣ）駆動値を示している。
【００４８】
図４（ａ）において２０１及び２０２は記録層を示している。光ディスク１１が記録層が一つのときは実線で示す記録層２０１を、２つの記録層を有するときには、記録層２０１から離れる位置に点線で示す記録層２０２を有している。さらに複数記録層を有するときにはさらに記録層２０２から離れる位置に記録層を備えるが、本発明の実施の形態１では２つまでの記録層を有する光ディスク１１について説明し、さらに複数の記録層は２つの記録層を有する構成と同等であるので詳細の説明は省略する。
【００４９】
図４（ｂ）においては、所定のゲインで光ディスク１１の記録面にレーザ光を照射し、その反射光を基に光ディスク１１の種類ごとに求められるフォーカス誤差信号（ＦＥ）の波形を示す。図４（ｂ）に示すようにフォーカス誤差信号ＦＥは、光ディスク１１の記録層２０１、２０２にレーザ光の焦点が合う前後でＳ字波形として検出される。
【００５０】
光ディスク１１が記録層を一つ有するＤＶＤ−ＲＯＭやＤＶＤ−Ｒなどの反射率の高いメディアのときには、Ｓ字波形を一つ検出しその振幅はＷ１である。光ディスク１１がＤＶＤ−ＲＷなどの相変化型の反射率が小さいメディアのときはＳ字波形を一つ検出しその振幅はＷ２であり、検出したＳ字波形の振幅は、Ｗ２＜Ｗ１となる。
【００５１】
光ディスク１１が２つの記録層を有し反射率が大きいＤＶＤ−Ｒ  ＤＬは、１層目の記録層及び２層目の記録層に対応してＳ字波形が２つ検出され、１層目の記録層の振幅Ｗ３と２層目に対応する記録層Ｗ４とで、２層目の振幅が小さくなりＷ３＞Ｗ４となる。
【００５２】
なお、Ｗ３はＷ１に略等しくＷ４はＷ２に等しく設定している。
【００５３】
光ディスク１１が、２つの記録層を有し反射率が小さいＤＶＤ−ＲＷ  ＤＬでは、１層目の記録層及び２層目の記録層に対応してＳ字波形が２つ検出され、１層目の記録層の振幅Ｗ５と２層目に対応する記録層Ｗ６とで、２層目の振幅が小さくなりＷ５＞Ｗ６となる。
【００５４】
ＦＥ信号のＳ字信号を基にＳ字検出信号を求める閾値レベルをＷ６より小さく設定することにより、ＦＥ信号が閾値を越えた位置でＳ字検出信号を数えることによって光ディスクの記録層の数を求める。
【００５５】
図５は、本発明の実施の形態１に係わるディスク基板上のウォブルとランドピリビットの関係を示した図である。図５ではＤＶＤ−ＲＷについて説明する。
【００５６】
図５（ａ）に示すように光ディスク１１は、レーザ光の案内溝であるグルーブ５０１とランド５０２を備えておりグルーブ５０１は一定の周期でうねり（ウォブル）をもたせて光ディスクの基準となる信号を求めるようにしている。グルーブ間のランド５０２には、ランドプリビット（ＬＰＰ）が設けられており、アドレス情報を予め生成している。またＬＰＰは位相制御の制御用としても用いられる。
【００５７】
図５（ｂ）に示すようにグルーブ５０１のうねり及びＬＰＰを基にウォブル信号５０４を求める。
【００５８】
光ディスク１１からの反射光の受光レベルが小さくなると光ディスク１１からの反射光をもとに情報信号であるＲＦ信号のレベルも小さくなり、ＲＦ信号を基に検出するアドレス情報が読めなくなることがある。特に光ディスク１１が反射率の低い相変化型のメディアであり、かつ複数層の上位層になるほどアドレス情報に認識を誤ることがある。
【００５９】
従って、記録や再生の環境条件によっても複数の上位層におけるアドレス情報の読取を確実にする構成としている。
【００６０】
以下、記録または再生のときに光ディスク１１に生成されたアドレス情報の読取を行う手順についてフローチャートを参照しながら説明する。
【００６１】
図６は、本発明の実施の形態１に係わる記録又は再生動作のフローチャートである。
【００６２】
図６において、処理が開始されると（Ｓ５０１）、光ディスク１１が光ディスク装置１に装着されているかどうかが判別され（Ｓ５０２）、光ディスク１１が装着されていなければ光ディスク１１が装着されるのを待つ。光ディスク１１が装着され光ディスク１１があると判断したら初期設定を行う（Ｓ５０３）。この初期設定では光ディスク１１に対するＲＦ信号のゲインを初期設定値としたり、スピンドルモータ４ａの回転を回転させたりする。
【００６３】
初期設定が終わると光ディスク１１の所定の位置にレーザ光を照射し、光ディスク１１から離れた位置から光ディスク１１の記録面に向けて対物レンズ３１を近づけていきながら光ディスク１１からの反射光を受光して反射光信号を検出し（Ｓ５０４）、反射光からフォーカス誤差（ＦＥ）信号をもとにＳ字信号を検出した数を求め（Ｓ５０５）、光ディスク１１の記録層の数を判別する（Ｓ５０６）。
【００６４】
また、反射光から光ディスク１１が低反射率のタイプかどうかを判別し（Ｓ５０７）、反射光が相変化型の光ディスクのメディアなどのように低反射率のタイプであれば、ゲイン設定処理をし（Ｓ５０８）、ゲイン設定処理を行ったら、パーソナルコンピュータ１１１から記録や再生に関するコマンドを入力があったかどうか判別し（Ｓ５０９）、入力があれば所定の記録層へ移動し（Ｓ５１０）、所定の記録層に対応するゲイン値を記憶手段２２０から読出し（Ｓ５１１）、所定の記録又は再生動作を行い（Ｓ５１２）、記録または再生を終了するかどうか判別し（Ｓ５１３）、終了すると判断したら終了処理を行う（Ｓ５１４）。終了せずに処理を続けるときは、コマンド入力処理の（Ｓ５０９）に戻り、処理を続ける。
【００６５】
反射光が低反射率タイプではないと判断すると（Ｓ５０７）、光ディスク１１に設定されている光ディスク１１の固有値を取得し（Ｓ５１５）、固有値に基づき設定されたゲイン値に設定し（Ｓ５１６）、ゲイン設定処理を行ったら、パーソナルコンピュータ１１１から記録や再生に関するコマンドを入力があったかどうか判別し（Ｓ５１７）、入力があれば所定の記録層へ移動し（Ｓ５１８）、所定の記録又は再生動作を行い（Ｓ５１９）、記録または再生を終了するかどうか判別し（Ｓ５２０）、終了すると判断したら終了処理を行う（Ｓ５１４）。終了せずに処理を続けるときは、コマンド入力処理の（Ｓ５１７）に戻り、処理を続ける。
【００６６】
図７は、本発明の実施の形態１に係わるゲイン設定処理のフローチャートである。
【００６７】
ゲイン設定処理が開始されると（Ｓ６０１）、第１層へ移動し（Ｓ６０２）、移動した所定の層に焦点を合わせるフォーカス引込みを行い（Ｓ６０３）、フォーカスサーボをＯＮとし（Ｓ６０４）、トラッキングサーボをＯＮとし（Ｓ６０５）、トラックアドレス情報を取得し（Ｓ６０６）、アドレス情報が読めるかどうか判別し（Ｓ６０７）、アドレス情報が読めないときはＲＦ信号の増幅器のゲインの設定を変更し（Ｓ６０８）、（Ｓ６０６）に戻り処理を続ける。
【００６８】
アドレスが読めたら（Ｓ６０７）、読めたときのＲＦ信号の増幅器のゲイン値を記憶主段に記憶し（Ｓ６０９）、全ての記録層のゲインを取得したかどうか判別し（Ｓ６１０）、終了したら、ゲイン設定処理を終了する（Ｓ６１１）。
【００６９】
全てのゲイン設定が終わっていなければ（Ｓ６１０）、トラッキングサーボをＯＦＦとし（Ｓ６１２）、フォーカスサーボをＯＦＦとし（Ｓ６１３）、次の記録層へ移動し（Ｓ６１４）、（Ｓ６０３）に戻り処理を続ける。
【００７０】
（実施の形態２）
本発明の実施の形態２について、図を参照しながら説明する。なお、本発明の実施の形態２について、本発明の実施の形態１を重複する構成や手順に関しては繰り返しのべず省略する。
【００７１】
光ディスク１１の内周には光ディスク１１の固有情報を備えた領域がある。ＦＥ信号のＳ字波形を基に求めた記録層の数とこの領域の固有情報を基に求めた記録層の数が合致すれば、固有情報を基に求めた記録層の数に対応するＲＦ信号のゲイン値としてもよい。また全ての光ディスクの種類に対応していなくて、未設定の光ディスクであったり、新規に発売される光ディスクにも対応することができる構成とした。
【００７２】
図８は、本発明の実施の形態２に係わる記録又は再生動作のフローチャートである。
【００７３】
図８において、処理が開始されると（Ｓ７０１）、光ディスク１１が光ディスク装置１に装着されているかどうかが判別され（Ｓ７０２）、光ディスク１１が装着されていなければ光ディスク１１が装着されるのを待つ。光ディスク１１が装着され光ディスク１１があると判断したら初期設定を行う（Ｓ７０３）。この初期設定では光ディスク１１に対するＲＦ信号のゲインを初期設定値としたり、スピンドルモータ４ａの回転を回転させたりする。
【００７４】
初期設定が終わると光ディスク１１の所定の位置にレーザ光を照射し、光ディスク１１から離れた位置から光ディスク１１の記録面に向けて対物レンズ３１を近づけていきながら光ディスク１１からの反射光を受光して反射光信号を検出し（Ｓ７０４）、反射光からフォーカス誤差（ＦＥ）信号をもとにＳ字信号を検出した数を求め（Ｓ７０５）、光ディスク１１の記録層の数を判別し（Ｓ７０６）、光ディスク１１に設定されている光ディスク１１の固有値を取得（Ｓ７０７）する。
【００７５】
反射光から光ディスク１１が低反射率のタイプかどうかを判別し（Ｓ７０８）、反射光が相変化型の光ディスクのメディアなどのように低反射率のタイプであれば、判別した層数と光ディスク１１の固有情報を基にもとめた記録層の数が同じかどうか判別し（Ｓ７０９）、同じでなければ、ゲイン設定処理をし（Ｓ７１０）、ゲイン設定処理を行ったら、パーソナルコンピュータ１１１から記録や再生に関するコマンドを入力があったかどうか判別し（Ｓ７１１）、入力があれば所定の記録層へ移動し（Ｓ７１２）、所定の記録層に対応するゲイン値を記憶手段２２０から読出し（Ｓ７１３）、所定の記録又は再生動作を行い（Ｓ７１４）、記録または再生を終了するかどうか判別し（Ｓ７１５）、終了すると判断したら終了処理を行う（Ｓ７１６）。終了せずに処理を続けるときは、コマンド入力処理の（Ｓ７１１）に戻り、処理を続ける。
【００７６】
反射光が低反射率タイプではないと判断したとき（Ｓ７０８）、または光ディスク１１の固有情報に基づく記録層の数が同じと判断したとき（Ｓ７０９）は、パーソナルコンピュータ１１１から記録や再生に関するコマンドを入力があったかどうか判別し（Ｓ７１８）、入力があれば所定の記録層へ移動し（Ｓ７１９）、所定の記録又は再生動作を行い（Ｓ７２０）、記録または再生を終了するかどうか判別し（Ｓ７２１）、終了すると判断したら終了処理を行う（Ｓ７１６）。終了せずに処理を続けるときは、コマンド入力処理の（Ｓ７１８）に戻り、処理を続ける。
【００７７】
このようにすることで、光ディスク１１の固有情報と求めた記録層の数が等しければＲＦ信号のゲイン値を改めて求めなくてもいいので、全体として時間が短縮できる。また等しくなければ、新たにＲＦ信号のゲイン値を求めることで、ゲイン値を最適にできる、求めたゲイン値を記憶手段に記録するので、次に同じ光ディスク１１が装着されたときには、このゲイン値を使用することができる。その結果、いろいろなメーカの光ディスクのメディアにも対応ができるようになる。
【産業上の利用可能性】
【００７８】
光ディスク装置及びその記録再生方法は、ある層のアドレス情報を読めなかった場合、ある層からアドレス情報を読めるまで増幅器のゲインを上げることにより、相変化型の光ディスクのように低反射率の光ディスクにおいて受光センサの信号ゲインを最適化できるので、パーソナルコンピュータなどの複数回に記録が可能な外部記録装置として用いる光ディスク装置に有用である。
【図面の簡単な説明】
【００７９】
【図１】本発明の実施の形態１に係わる光ディスク装置の斜視図
【図２】本発明の実施の形態１に係わる光ディスク装置の外観図
【図３】本発明の実施の形態１に係わる光ディスク装置のブロック図
【図４】本発明の実施の形態１に係わるフォーカス誤差信号を示した図
【図５】本発明の実施の形態１に係わるディスク基板上のウォブルとランドピリビットの関係を示した図
【図６】本発明の実施の形態１に係わる記録又は再生動作のフローチャート
【図７】本発明の実施の形態１に係わるゲイン設定処理のフローチャート
【図８】本発明の実施の形態２に係わる記録又は再生動作のフローチャート
【符号の説明】
【００８０】
１    光ディスク装置
２    筐体
３    トレイ
４    光ピックアップモジュール
４ａ    スピンドルモータ
４ｂ    光ディスク装着部
５    光ピックアップ
９    回路基板
１０    ＦＰＣ
１１    光ディスク
３１    対物レンズ
１１１    パーソナルコンピュータ
２０５    フォーカス駆動手段
２０７    レーザ
２０８    受光センサ
２０９    キャリッジ
２１２    デジタルサーボコントローラ
２１３    データ処理部
２１４    フォーカス制御手段
２１５    トラッキング制御手段
２１７    アドレス読取手段
２１８    回転制御手段
２１９    スピンドルモータ駆動手段
２２０    記憶手段
２２１    ＦＥ信号生成手段
２２２    フォーカス誤差検出手段
２２３    ゲイン設定手段
２２７    ＲＦ信号生成手段
【図１】
2008204536.tif 000003
【図２】
2008204536.tif 000004
【図３】
2008204536.tif 000005
【図４】
2008204536.tif 000006
【図５】
2008204536.tif 000007
【図６】
2008204536.tif 000008
【図７】
2008204536.tif 000009
【図８】
2008204536.tif 000010